(57)【要約】【課題】吸収性物品を身体に対して良好にフィットさせることができると共に、接合線による跡が付かず、全体としてのフィット性や装着感にも優れたサニタリーショーツを提供すること。【解決手段】吸収性物品がクロッチ部４に取り付けられて使用されるサニタリーショーツ１であり、生地である編地を接合することなく筒状の胴回り部７が形成されている。サニタリーショーツ１は、後身頃３に、胴開口部５の周縁部付近からクロッチ部４方向に向かって延びる難伸長領域３１が形成されており、該難伸長領域３１は、前記編地の繊維密度をその両側に位置する部位より高めて形成されている。あるいは、サニタリーショーツ１は、クロッチ部４の幅方向中央部に、前記編地の繊維密度をその両側に位置する部位より高めて形成された高剛性領域４１が形成されている。【選択図】図１
2007275495.tif 000002
【特許請求の範囲】
【請求項１】
吸収性物品がクロッチ部に取り付けられて使用されるサニタリーショーツであって、
生地である編地を接合することなく筒状の胴回り部が形成されており、
後身頃に、胴開口部の周縁部付近からクロッチ部方向に向かって延びる難伸長領域が形成されており、
前記難伸長領域は、前記編地の繊維密度をその両側に位置する部位より高めて形成されているサニタリーショーツ。
【請求項２】
吸収性物品がクロッチ部に取り付けられて使用されるサニタリーショーツであって、
生地である編地を接合することなく筒状の胴回り部が形成されており、
前記クロッチ部の幅方向中央部に、前記編地の繊維密度をその両側に位置する部位より高めて形成された高剛性領域が形成されているサニタリーショーツ。
【請求項３】
前記高剛性領域に、前記編地の繊維密度を該高剛性領域の他の部位より更に高めて形成した模様を有している請求項２記載のサニタリーショーツ。
【請求項４】
前記高剛性領域は、前身頃側に、左右の脚開口部それぞれの周縁部に向かって延びる左右一対の難伸長領域を有している請求項２又は３記載のサニタリーショーツ。
【請求項５】
前記高剛性領域は、後身頃側に、左右の脚開口部それぞれの周縁部に向かって延びる左右一対の難伸長領域を有している請求項２又は３記載のサニタリーショーツ。
【請求項６】
前記編地の繊維密度を他の部位より低減して形成した、レース様の外観を呈する高伸長領域を有する請求項１〜５の何れかに記載のサニタリーショーツ。
【発明の詳細な説明】
【技術分野】
【０００１】
本発明は、クロッチ部に吸収性物品が取り付けられて使用されるサニタリーショーツに関する。
【背景技術】
【０００２】
生理用品やパンティライナー等の吸収性物品は一般に、その着衣対向面に施されたホットメルト粘着剤等の固定材料によって、サニタリーショーツ等の衣類に固定されて使用される。これによって吸収性物品の変形を防ぐと共に吸収性物品を着用者の身体に密着させ、吸収性物品からの液漏れを防止すると共に装着感を良好にすることを図っている。
従来のサニタリーショーツとしては、着用時に着用者の腹側に配される前身頃と背側に配される後身頃と股間部に配されるクロッチ部とが別々のパーツから形成されたものが知られている。
このような従来のサニタリーショーツにおいては、前身頃を形成する生地と後身頃を形成する生地とを、着用者の両側部において縫合等により接合していたため、身体に接合線の跡が付いたり、接合線によって装着感が悪化したりする場合がある。
【０００３】
また、吸収性物品を着用者の身体に密着させることを目的として、サニタリーショーツの横方向中心で縦方向に延びる中央線に沿って伸縮部を形成し、伸縮部が胴回り部から股下部に向けて幅方向寸法が徐々に短くなるように形成したサニタリーショーツが提案されている（特許文献１参照）しかし、特許文献１記載のショーツにおける前記伸縮部は、その両側方に位置する周辺部とは別の生地で形成されており、伸縮部を形成する生地と周辺部を形成する生地とは横方向に並べて縫合されているか、又はショーツ全体を形成する生地により周辺部を形成し、その一部に伸縮部を形成する別の生地を重ねて縫合されている。そのため、伸縮部と周辺部との境界部に生じる縫合線によって身体に跡が付いたり、伸縮部と周辺部との境界部や前記周辺部におけるフィット性が悪化したりする問題があった。
【０００４】
【特許文献１】特開２００１−２７６１２９号公報
【発明の開示】
【発明が解決しようとする課題】
【０００５】
従って本発明の目的は、吸収性物品を身体に対して良好にフィットさせることができると共に、接合線による跡が付かず、全体としてのフィット性や装着感にも優れたサニタリーショーツを提供することにある。
【課題を解決するための手段】
【０００６】
本発明は、吸収性物品がクロッチ部に取り付けられて使用されるサニタリーショーツであって、生地である編地を接合することなく筒状の胴回り部が形成されており、後身頃に、胴開口部の周縁部付近からクロッチ部方向に向かって延びる難伸長領域が形成されており、前記難伸長領域は、前記編地の繊維密度をその両側に位置する部位より高めて形成されているサニタリーショーツを提供することにより前記目的を達成したものである。
【０００７】
また、本発明は、吸収性物品がクロッチ部に取り付けられて使用されるサニタリーショーツであって、生地である編地を接合することなく筒状の胴回り部が形成されており、前記クロッチ部の幅方向中央部に、前記編地の繊維密度をその両側に位置する部位より高めて形成された高剛性領域が形成されているサニタリーショーツを提供することにより前記目的を達成したものである。
【発明の効果】
【０００８】
本発明のサニタリーショーツは、吸収性物品を身体に対して良好にフィットさせることができると共に、接合線による跡が付かず、全体としてのフィット性や装着感にも優れたものである。
【発明を実施するための最良の形態】
【０００９】
以下、本発明のサニタリーショーツ（以下、単にショーツともいう。）を、その好ましい実施形態に基づき図面を参照しながら説明する。
図１は、本発明の一実施形態であるサニタリーショーツを示す図で、（ａ）は、着用された状態の該ショーツを前身頃側の斜め上方からみた斜視図であり、（ｂ）は着用された状態の該ショーツを後身頃側の斜め上方からみた斜視図である。図２は、図１に示すショーツを、着用者の両側部に位置する部分で仮想的に切断し展開した状態を内面側から見た仮想展開図である。
【００１０】
図１及び図２に示すように、本実施形態のショーツ１は、前身頃２、後身頃３、クロッチ部４を有している。また、ショーツ１は、胴開口部５と一対の脚開口部６，６とを有している。
本実施形態のショーツ１は、図３に示すように、丸編機により製造した筒状の編地１１を、ショーツ１の一枚分の長さに切断し、切断したショーツ１枚分の編地１１から一対の脚開口部６を形成する部分１６を除去した後、クロッチ部４に対応する部分１４と前身頃２に対応する部分１２とを縫合して製造されたものである。
従って、ショーツ１における前身頃２、後身頃３及びクロッチ部４は、一枚の連続した編地（生地）から形成されている。特に、ショーツ１における胴開口部５と一対の脚開口部６，６との間の筒状の胴回り部７は、前身頃２を形成する編地と後身頃３を形成する編地とが連続した共通の編地から形成されており、該胴回り部７の周方向には、編地同士を縫合等により接合した接合部が形成されていない。また、図２に示すように、クロッチ部４を形成する編地は、クロッチ部４の後身頃３側において、後身頃３を形成する編地と連続している。これに対して、クロッチ部４を形成する編地は、クロッチ部４の前身頃２側において、前身頃２を形成する編地とが縫合されており、クロッチ部４と前身頃２との境界部に接合部１５が形成されている。
尚、前身頃２、後身頃３及びクロッチ部４を形成する編地は、図２に示す仮想展開状態のショーツ１における長手方向（図２中のＸ方向）及びその直交方向に伸縮性を有していることが好ましい。
【００１１】
本実施形態のショーツ１の後身頃３には、図１（ｂ）及び図２に示すように、胴開口部の周縁部５０付近からクロッチ部４方向に向かって延びる難伸長領域３１が形成されている。難伸長領域３１は、後身頃３の幅方向中央部に縦方向に延びるように形成されており、難伸長領域３１は、少なくとも該縦方向において、その両側に位置する部分３２，３２よりも伸長応力を高めるように形成されており、結果として使用者の装着時に伸長しにくくなっている。
難伸長領域３１は、下記方法により測定した５０％伸長時の引張荷重が１０〜１００ｃＮ、特に１５〜３０ｃＮであることが好ましい。
〔引張荷重の測定方法〕
腰天からクロッチ部にいたる方向を長手方向としたときに、長手方向１２０ｍｍ／幅方向１０ｍｍの大きさで難伸長領域を切り出し試験片となし、テンシロン引張・圧縮試験機ＲＴＡ‐１００（（株）ボールドウイン製）を使用して計測する。ＲＴＡ−１００のチャック間距離を１００ｍｍとし、試験片の長手方向上端と下端の各々１０ｍｍをチャックによって把持する。ヘッドスピードを３００ｍｍ／分で稼動させ、１００％伸張時もしくは５００ｃＮ荷重を上限として計測をおこなう。試験片の幅方向が１０ｍｍ未満である場合は、１０ｍｍ幅への換算をおこなう。上記試験片を３点計測した平均値を難伸張領域の引張荷重とする。
【００１２】
また、難伸長領域３１は、ショーツ１の製造に用いた編地１１の当該部位における繊維密度を少なくともその両側に位置する部位３２，３２より高めることによって形成されている。即ち、難伸長領域３１は、その両側に位置する部分３２，３２を形成する編地間に別の編地を配してそれら編地間を接合したり、連続する編地で、難伸長領域３１の両側に位置する部分３２，３２を形成しその編地に別の編地を重ねて縫合したりして形成されたものではなく、図３に示すように、丸編機で筒状の編地１１を製造する際に、該編地の一部における、編み方及び／又は編み込む糸を、他の部分とは異ならせることで形成したものである。
【００１３】
編み方を代えて難伸長領域を形成する方法としては、例えば、横方向の伸縮性より縦方への伸縮性を抑える平編やゴム編で鹿の子などのタック等の糸抜きを用いることでより縦方向の伸びを調整することが出来る。
編み込む糸を代えて難伸長領域を形成する方法としては、例えば、難伸張領域の両側に位置する部分より剛性の高い繊維（太い繊維、剛性の高い素材等）を配合する方法を用いることができる。また、編み込む繊維の本数を両側に位置する部分より多くする方法等を用い、難伸張領域を形成することもできる。
【００１４】
本実施形態のショーツ１は、着用者に着用されたときに、後身頃３における、難伸長領域３１の両側に位置する部分３２，３２がショーツ１の縦方向に良好に伸長する一方、難伸長領域３１は相対的に伸長しない。そのため、クロッチ部４及び後身頃３のクロッチ部近傍の幅方向中央部が、着用者の股間ないし臀部の谷間に向かってひきつけられる。そのため、クロッチ部４に固定した生理用ナプキン等の吸収性物品を身体に対して良好にフィットさせることができる。
【００１５】
しかも、筒状の胴回り部７が編地を接合することなく形成されており、胴回り部７における着用者の両側部に位置する部分や、難伸長領域３１とその両側に位置する部分３２，３２の境界部に、編地同士を縫合等して生じた接合線が存在しないため、着用者の肌に接合線による跡が付かず、全体としてのフィット性や装着感にも優れている。
特に、難伸長領域３１とその両側に位置する部分３２，３２とが連続する一枚の編地から形成されていることは、難伸長性領域３１とその両側に位置する部分３２，３２との境界部で編地の性状が急激に変化することを防止でき、違和感を生じさせ難く、またフィット性や装着感を悪化させることも防止することができる。
尚、後身頃３の縦方向における難伸長領域３１の長さは、図２に示す仮想展開状態のショーツの全長（図２中のＸ方向の全長）の２０％以上、特に３０〜４０％であることが好ましい。ここで、後身頃３のＸ方向長さはショーツ全長の４０％とする。
【００１６】
また、本実施形態のショーツ１は、図１（ａ）及び図２に示すように、クロッチ部４の幅方向中央部に高剛性領域４１を有している。高剛性領域４１は、仮想展開状態のショーツの長手方向（Ｘ方向）に長い形状を有している。高剛性領域４１は、ショーツ１の製造に用いた編地１１の当該部位における繊維密度を当該部位の両側に位置する部位４２，４２より高めることによって形成されている。即ち、高剛性領域４１は、その両側に位置する部位４２，４２を形成する編地間に別の編地を配してそれら編地間を接合したり、連続する編地で、高剛性領域４１の両側に位置する部位４２，４２を形成しその編地に別の編地を重ねて縫合したりして形成されたものではなく、図３に示すように、丸編機で筒状の編地１１を製造する際に、該編地の一部における、編み方及び／又は編み込む糸を、他の部分とは異ならせることで形成したものである。
【００１７】
編み方を代えて高剛性領域を形成する方法としては、例えば、平編やゴム編、パール編で部分的に伸縮弾性糸を投入しテンションを加えてより凹凸状にする方法が挙げられる。またゴム編や平編、パール編に糸抜きをして鹿の子やミラノリブ、シングルピケやダブルピケにして用いても良い。より横方向からの剛性を上げるためにパール編を用いるのが好ましい。
編み込む糸を代えて高剛性領域を形成する方法としては、例えば難伸張領域の両側に位置する部分より編み込む繊維の本数を多くする方法を用いることが好ましく、さらに剛性の高い繊維（太い繊維、剛性の高い素材等）を配合する方法を併用することがより好ましい。クロッチ部における高剛性領域は、編み方を代える方法、編み込む繊維を代える方法ともに、クロッチ部における生地の厚みを厚くするような目的で施すことが、後述する理由で好ましい。剛性かつ装着したナプキンの形状保持（ヨレ防止）性を高める観点から好ましく、生地の厚みを増す事でナプキンの身体へのフィット性を高める効果も有する。
【００１８】
本実施形態のショーツ１は、クロッチ部４の幅方向中央部に高剛性領域４１を有するため、剛性かつ装着したナプキンの形状保持（ヨレ防止）性を高めることができる。しかも、高剛性領域４１を、編地１１の当該部位における繊維密度を当該部位の両側に位置する部位４２，４２より高めることによって形成してあるため、ナプキンの身体へのフィット性を高める効果も有する。
高剛性領域４１は、装着したナプキンの形状保持（ヨレ防止）性を高める観点から、クロッチ部４の幅方向における幅Ｗ（図２参照）がクロッチ部の最小幅位置における全幅の２５％以上、特に３０〜６０％であることが装着時の違和感を低下させる観点から好ましい。また、高剛性領域４１は、図２中のＸ方向の長さＬが、同方向におけるショーツの全長の１５％以上、特に１５〜２５％であることが好ましい。また、クロッチ部４の高剛性領域４１と後身頃３の高剛性領域３１は連続して形成されていても良いが、長手方向中心線上で連続するのではなく、両脚部に延びるように高剛性領域３１、４１が形成され、長手方向中心線上に高剛性領域が形成されていないほうが、身体の動きによるナプキンの形状保持性を高める観点から好ましい。
ここで、クロッチ部４のＸ方向長さはショーツ全長の３０％とする。
【００１９】
本実施形態のショーツ１における前記高剛性領域４１は、図２に示すように、編地１１の繊維密度を高剛性領域４１の他の部位より更に高めて形成した模様４３を有している。この模様４３は、丸編機で筒状の編地１１を製造する際に、編地における高剛性領域４１に対応する部分の一部の編み方及び／又は編み込む糸を、高剛性領域４１に対応する部分の他の部分とは異ならせることによって形成することができる。このような模様を設けることで、ショーツの生産性を損なうことなく、ショーツの意匠性（デザイン性）を向上させることができる。尚、ショーツの意匠性（デザイン性）を向上させるために、クロッチ部４の高剛性領域４１以外の部位、更には前身頃２や後身頃３等にも、同様の手法により模様を設けることもできる。
【００２０】
本実施形態のショーツ１における前記高剛性領域４１は、図２に示すように、高剛性領域４１の前身頃２側に、左右の脚開口部それぞれの周縁部に向かって延びる左右一対の難伸長領域４４，４４を有している。また、本実施形態のショーツ１における前記高剛性領域４１は、図２に示すように、後身頃３側にも、左右の脚開口部それぞれの周縁部に向かって延びる左右一対の難伸長領域４５，４５を有している。
高剛性領域４１の前身頃２側及び／又は後身頃３側に、このような難伸長領域を形成することで、高剛性領域４１上に固定した生理用ナプキン等の吸収性物品の身体に対するフィット性を一層向上させることができる。本実施形態における難伸長領域４４，４４，４５，４５は、何れも高剛性領域４１を形成した方法と同様の手法でクロッチ部４に形成してある。難伸長領域４４，４４，４５，４５は、そのそれぞれが延びる方向における伸長性が、それぞれの両側に位置する部分の伸長性よりも劣っている。
【００２１】
また、本実施形態のショーツ１における前身頃２及び後身頃３における脚開口部の周縁部近傍には、該周縁部に沿って延びるように、レース様の外観を呈する高伸長領域６１，６１が形成されている。高伸長領域６１，６１は、ショーツ１の製造に用いた編地１１の当該部位における繊維密度を他の部位より低減して形成されている。即ち、高伸長領域６１，６１は、前身頃２、後身頃３及びクロッチ部４における、難伸長領域や高剛性領域以外の部位よりも繊維密度が低減されている。このようにしてレース様の外観を呈する高伸長領域６１，６１を形成することで、着用者に生理用ショーツを着用しているような感覚を与えないため、使用時の気持ちを和らげることができる。また、抜き柄様のレース模様によって、伸張性を高める事ができる。
【００２２】
尚、本実施形態のショーツ１は、胴開口部の周縁部近傍に、該周縁部に沿って延びる高弾性領域５１を有しており、また、脚開口部の周縁部に、フリル６２を設けてある。高弾性領域５１は、筒状の編地１１を製造する際に、当該部分に高弾性糸を使用して形成されている。高弾性糸は、単独で使用しても他の糸と組み合わせて使用することもできる。フリル６２は、細帯状の別部材を、編地１１からなる脚開口部の周縁部に接合して形成されている。
【００２３】
以上、本発明をその好ましい実施形態に基づき説明したが、本発明は前記実施形態に制限されない。
例えば前記実施形態においては、高剛性領域４１の前身頃２側及び後身頃３側に難伸長領域４４，４４，４５，４５が設けられていたが、これに代えて、前身頃２側及び後身頃３側の何れか一方にのみに難伸長領域４４，４４，４５，４５を設けることもできる。但し、より好ましい形態としては、高剛性領域の前後方向に力のバランスがとれるような形状で難伸張領域が形成されていることが好ましい。その具体的な実施形態としては、前後身頃の中央に１領域ずつ、前身頃側の両側に向かう２領域と後身頃の中央に１領域等が挙げられる。なお、高剛性領域の後身頃側中央域に難伸張領域を形成した場合には、腰天から延びる難伸長領域３１とは連続しないことが、ショーツの引き上げによる後部フィット効果と股間部の動きへの追従性が独立して働くことから、全体のフィット効果が高まることから好ましい。
また、前記実施形態における、後身頃３の難伸長領域３１は、胴開口部の周縁部付近からクロッチ部に近づくに連れてその幅が漸減しているが、胴開口部の周縁部付近からクロッチ部の近傍に亘って同じ幅であっても良い。
また、ショーツ１に装着される吸収性物品としては、生理用ナプキン、失禁用パッド、パンティライナーが挙げられる。
【図面の簡単な説明】
【００２４】
【図１】図１は、本発明の一実施形態であるサニタリーショーツを示す図で、（ａ）は、着用された状態の該ショーツを前身頃側の斜め上方からみた斜視図であり、（ｂ）は着用された状態の該ショーツを後身頃側の斜め上方からみた斜視図である。
【図２】図２は、図１に示すショーツを、着用者の両側部に位置する部分で仮想的に切断し展開した状態を内面側から見た仮想展開図である。
【図３】図３は、図２に示すショーツの製造方法を示す概略図である。
【符号の説明】
【００２５】
１  サニタリーショーツ
２  前身頃
３  後身頃
３１  難伸長領域
４  クロッチ部
４１  高剛性領域
５  胴開口部
６  脚開口部
７  胴回り部
【図１】
2007275495.tif 000003
【図２】
2007275495.tif 000004
【図３】
2007275495.tif 000005